(57)【要約】【課題】アクセスポイントのカバーエリアを考慮することなく、航空機内でポータブルの画像表示装置を持ち運び自由に提供情報の利用を可能にする。【解決手段】異なる複数の無線基地局を切換えて情報を受信する受信アンテナと、移動先のペアリングした座席の位置情報を取得する座席情報取得手段と、座席情報に基づいて接続する無線基地局を選択する無線基地局選択手段と、座席情報に基づいて受信アンテナの指向性を変更する指向性変更手段とを備えた画像表示装置を備え、座席に座った利用者に無線基地局から映像情報および音声情報の少なくとも１つの情報を送信する。【選択図】図１
2009021653.tif 000002
【特許請求の範囲】
【請求項１】
異なる複数の無線基地局を切換えて情報を受信する受信アンテナを備え、座席間を移動可能な画像表示装置であって、
移動先のペアリングした座席の位置情報を取得する座席情報取得手段と、
座席情報に基づいて接続する前記無線基地局を選択する無線基地局選択手段と、
前記座席情報に基づいて前記受信アンテナの指向性を変更する指向性変更手段とを備えたことを特徴とする画像表示装置。
【請求項２】
請求項１に記載の画像表示装置を備え、前記座席に座った利用者に前記無線基地局から映像情報および音声情報の少なくとも１つの情報を送信することを特徴とする無線通信システム。
【請求項３】
前記利用者が前記無線基地局から受信する音声情報の受信経路を切換える経路切換手段を備えたことを特徴とする請求項２に記載の無線通信システム。
【請求項４】
前記座席は音声出力手段を備え、前記画像表示装置と前記ペアリングした座席の前記音声出力手段との間を接続する有線伝送路を有し、前記経路切換手段は前記音声情報を前記有線伝送路を経由して前記音声出力手段に出力するように経路を切換えることを特徴とする請求項３に記載の無線通信システム。
【請求項５】
前記座席は音声出力手段および音声情報を受信する受信アンテナを備え、前記経路切換手段は前記音声情報を前記ペアリングした座席に備えられた受信アンテナを経由して前記音声出力手段に出力するように経路を切換えることを特徴とする請求項３に記載の無線通信システム。
【請求項６】
前記画像表示装置は音声情報出力手段を備え、前記経路切換手段は前記音声情報を前記画像表示装置に備えられた前記音声情報出力手段に出力するように経路を切換えることを特徴とする請求項３に記載の無線通信システム。
【発明の詳細な説明】
【技術分野】
【０００１】
本発明は、航空機や列車などにおいて利用可能な画像表示装置に関し、特に、座席から取り外し、画像表示装置を移動して利用できる無線通信システムに関するものである。
【背景技術】
【０００２】
近年、ＩＥＥＥ８０２．１１ａ／ｂ／ｇをはじめとする無線通信システムが普及しつつある。これらは無線ＬＡＮ（Ｌｏｃａｌ  Ａｒｅａ  Ｎｅｔｗｏｒｋ）システムと呼ばれ、有線ＬＡＮシステムに用いられているイーサネット（登録商標）（Ｅｔｈｅｒｎｅｔ（登録商標））と同等のことを無線に置き換えた通信システムである。
【０００３】
無線ＬＡＮシステムは、当初、携帯型や可搬型のパーソナルコンピュータ、可搬型無線端末装置などで使用され、その後、各分野への利用が広まり、例えば、配線ケーブルなどの煩雑さをなくすことを目的として、使用場所が固定された端末装置に対して無線ＬＡＮシステムが提案されている。
【０００４】
その１つの応用例として、従来、航空機内における映像や音声などのコンテンツの配信サービスに、無線ＬＡＮシステムを利用する技術が提案されている（例えば、特許文献１参照）。
【０００５】
この例では、航空機内において、無線ＬＡＮシステムを搭載し、乗客用の各座席に設置された無線端末装置に対してコンテンツデータを送出し、これによって、無線ＬＡＮシステムを利用した情報配信サービスを実現している。
【０００６】
配信システムの構成としては、乗客に提供するためのコンテンツデータをシステムのサーバーに蓄積し、サーバーに接続された無線基地局装置であるワイヤレスアクセスポイント（以下、「アクセスポイント」と呼ぶ）を航空機内に複数設置する。また、座席毎に無線端末装置を設置し、１つのアクセスポイントが複数の無線端末装置をカバーするよう、それぞれのアクセスポイントの位置を設定する。
【０００７】
アクセスポイントの設定方法としては、機内スペースを複数の小エリアに区切り、１つの小エリアに対して１つのアクセスポイントが対応するように、それぞれのアクセスポイントを機内のサービスエリアに割り当てる。
【０００８】
また、各無線端末装置間の干渉対策としては、各アクセスポイントにおいて、ほかの小エリアに対し、できる限り干渉や妨害を与えずに電波を放射するように指向性アンテナを配置し、自エリア内の各無線端末装置とは決まったチャネルを用いて無線通信するように設定する。また、１つのアクセスポイントとその小エリア内の各無線端末装置とが、そのチャネルの周波数帯域を時分割して通信するように構成することで、１つのチャネルで複数の無線端末装置に対して個別に情報配信サービスを実施することができる。
【０００９】
従来、この情報配信サービスを表示手段として、各座席の背面部に備え付けられた画像表示装置（以下、「モニタ」と略記する）が利用されている。
【特許文献１】特表２００６−５０６８９９号公報
【発明の開示】
【発明が解決しようとする課題】
【００１０】
しかしながら、近年、乗客の更なる利便性と快適性を高めるため、モニタに無線機能を付加したポータブルモニタが注目されている。航空機内で、従来の方法により無線通信を行う場合、ポータブルモニタが移動することによって、利用していたアクセスポイントのカバーエリアを越えると、通信効率の低下に加え、ほかの端末機器への干渉が課題となる。
【００１１】
従来、航空機内で、例えば映像および音声などのコンテンツ（以下、「ＡＶ情報」と略記する）のサービス提供を行う場合、音声情報は利用者が着席する座席から提供し、映像情報は利用者が着席する座席の１つ前の座席に設けられた表示装置から提供する。システムの構成としては、受信したＡＶ情報から音声情報と映像情報の分離を行うＳＥＢ（Ｓｅａｔ  Ｅｌｅｃｔｒｏｎｉｃｓ  Ｂｏｘ）を各座席に配置し、ＳＥＢと前後方向に隣接する座席を床下の配線を用いて接続するオーディオフィードバック方式が用いられている。
【００１２】
しかし、ポータブルモニタを座席から取り外してＡＶ情報のサービスを利用する場合には、オーディオフィードバック方式を利用することができない。特に、モニタと座席との１対１の関係が崩れるため、各座席に対して提供される個別の機内情報サービスをモニタで受信できなくなり、映像に合わせた音声を自分の座席から受信することもできない。また、キャビンアテンダントを呼ぶ操作（ＣＡコール）や照明点灯など機内サービスの利用に関する操作にも支障が発生する。
【００１３】
本発明は、上記の課題を解決するためになされたものであり、移動先の座席とポータブルモニタとに利用上の整合性を良好に維持することにより、ポータブルモニタの移動にかかわりなく、航空機内の情報サービスの利用可能な、通信効率の高い画像表示装置および無線通信システムを実現することを目的とする。
【課題を解決するための手段】
【００１４】
上述したような目的を達成するために、本発明の画像表示装置は、異なる複数の無線基地局を切換えて情報を受信する受信アンテナを備え、座席間を移動可能な画像表示装置であって、移動先のペアリングした座席の位置情報を取得する座席情報取得手段と、座席情報に基づいて接続する無線基地局を選択する無線基地局選択手段と、座席情報に基づいて受信アンテナの指向性を変更する指向性変更手段とを備えたことを特徴とする。
【００１５】
このような構成により、航空機内でポータブルの画像表示装置を利用することができるほか、移動によるほかの画像表示装置への干渉や通信効率の低下を抑制することができ、航空機用の可般型の高品質な画像表示装置を提供することができる。
【００１６】
本発明の無線通信システムは、上記の画像表示装置を備え、座席に座った利用者に無線基地局から映像情報および音声情報の少なくとも１つの情報を送信することを特徴とする。
【００１７】
このような構成により、可般型で高品質な画像表示装置を用いて航空機内で映像および音声の少なくともいずれかの情報サービスの提供を行うことが可能となる。
【００１８】
また本発明の無線通信システムでは、利用者が無線基地局から受信する音声情報の受信経路を切換える経路切換手段を備えてもよい。
【００１９】
このような構成により、音声情報の受信経路を切換えて情報提供サービスを行うことが可能となる。したがって、利用者の利用環境に合わせて、経路を切換えて情報サービスを提供することができ、利便性が向上する効果を発揮する。
【００２０】
また本発明の無線通信システムでは、座席は音声出力手段を備え、画像表示装置とペアリングした座席の音声出力手段との間を接続する有線伝送路を有し、経路切換手段は音声情報を有線伝送路を経由して音声出力手段に出力するように経路を切換えてもよい。
【００２１】
このような構成により、オーディオフィードバックを実現でき、簡単かつ確実に、高品質の音声サービスを提供することができる。
【００２２】
また本発明の無線通信システムでは、座席は音声出力手段および音声情報を受信する受信アンテナを備え、経路切換手段は音声情報をペアリングした座席に備えられた受信アンテナを経由して音声出力手段に出力するように経路を切換えてもよい。
【００２３】
このような構成により、画像表示装置は座席のアンテナから無線通信により音声情報を受信することが可能となり、無線通信システムの利便性が向上する。
【００２４】
また本発明の無線通信システムでは、画像表示装置は音声情報出力手段を備え、経路切換手段は音声情報を画像表示装置に備えられた音声情報出力手段に出力するように経路を切換えるようにしてもよい。
【００２５】
このような構成により、画像表示装置から映像および音声の情報サービスを行うことが可能となり、無線通信システムの利便性が向上するほか、音声情報を提供するための配線設備が不要となり、無線通信システムの設置費用を削減することができる。
【発明の効果】
【００２６】
本発明の画像表示装置および無線通信システムによれば、アクセスポイントのカバーエリアを考慮することなく、航空機内でポータブルの画像表示装置を持ち運び自由に提供情報の利用を可能にするとともに、画像表示装置の持ち運びによるほかの画像表示装置への干渉や通信効率の低下を防ぐことができる。これにより、利便性が向上した画像表示装置および航空機用搭載用の無線通信システムを実現することができる。
【発明を実施するための最良の形態】
【００２７】
以下、本発明の実施の形態について、図１から図１４面を参照しながら詳細に説明する。
【００２８】
（実施の形態１）
図１は、本発明の実施の形態１における画像表示装置（以下、「ポータブルモニタ」といい、ポータブルモニタを総称して「Ｄ」と略記する）および無線通信システム１００の構成を示す主要配置図である。
【００２９】
図１（ａ）に示すように、航空機客室内には複数の座席列４１、４２、４３、・・・が前後方向にＮ列、左右方向にＭ行配置され（図５参照）、各座席にはポータブルモニタ４１Ｄ、４２Ｄ、４３Ｄ、・・・（図示せず）が備えられており、アクセスポイント（以下、アクセスポイントを総称して「ＡＰ」と略記する）１１、１２、１３、１４から音声データや情報データなどを受信して乗客にデータサービスの提供を行うことができる。ＡＰ１１、１２、１３、１４は前後方向においてそれぞれ３列の座席をサービスエリアとしており、座席列４１から座席列４８に対して４つのサービスエリア１、２、３、４が設けられている。また、各座席の床下にはサーバーに接続された制御用のイーサネット（登録商標）Ｃ１が配設され、ポータブルモニタＤとＡＰとのデータの送受信にはユニキャスト通信方式を採用している。
【００３０】
図１（ｂ）は、図１（ａ）のＡ部拡大図であり、Ｍ行４４列目の座席４４Ｍ、およびＭ行４５列目の座席４５Ｍにおける無線通信システム１００の主要な構成を示している。以下、座席４４Ｍおよび座席４５Ｍを事例として本発明の実施の形態１におけるポータブルモニタＤおよび無線通信システム１００の構成および動作について説明する。
【００３１】
ＡＰ１３のサービスエリア３にある座席４４Ｍ、４５Ｍにおいて、各座席にはイヤホンを備え、座席４４Ｍの背面に保持機構（図示せず）により装着されたポータブルモニタ４５Ｄはアンテナ４５Ａを備えており、ＡＰ１３から映像情報を受信して画像を表示する機能を有する。また、床下の制御用イーサネット（登録商標）Ｃ１に接続され、座席４５Ｍのオーディオ出力部４５Ｌから音声を出力し、利用者（乗客）にイヤホン４５Ｅから音声情報を提供することができる。
【００３２】
また、図２は本実施の形態の無線通信システム１００における座席４５Ｍの主要な構成を示す平面図および側面図である。図２に示すように、座席４５Ｍの背面にはポータブルモニタ４６Ｄが保持機構により装着可能に保持され、肘掛部４５Ｊにはハンドセット４５Ｈおよびセンサ４５Ｓが埋設されている。センサ４５Ｓはポータブルモニタ４６Ｄと座席４５Ｍの位置情報の授受を行う。これにより、各座席ではポータブルモニタＤと位置情報の授受を行い、ポータブルモニタＤはワイヤレス方式でＡＰを経由してサーバー（図示せず）にアクセスし、ハンドセット４５Ｈは制御用イーサネット（登録商標）Ｃ１を経由してサーバーにアクセスすることができる。
【００３３】
つぎに、ポータブルモニタＤを移動した場合の無線システムの機能について説明する。
【００３４】
図３（ａ）は、利用者４５Ｑがポータブルモニタ４５Ｄを持って移動した場合の状態を示す。ＡＰ１３のサービスエリア内にあったポータブルモニタ４５Ｄを座席４４Ｍから取り外し、ＡＰ１２のサービスエリア内の座席４２Ｍへ移動する。
【００３５】
図３（ｂ）は、ポータブルモニタ４５Ｄの移動後の状態を示す。この場合、座席４２Ｍとペアリングが設定されているのは座席４２Ｍの背面に設置されたポータブルモニタ４３Ｄである。したがって、この状態ではポータブルモニタ４５Ｄにおいて設定された音声情報を座席４３Ｍから出力することはできない。また、ポータブルモニタ４５ＤでＣＡコールや照明点灯の機能を動作させると、座席４５ＭのＣＡコールや照明が作動することになる。
【００３６】
図４は、本実施の形態における無線通信システム１００の機能を説明するための側面図であり、移動先でのポータブルモニタ４５Ｄと座席４２Ｍとのペアリングの方法および航空機客室内における情報提供サービスの視聴方法を示す。図４（ｃ）に示すように、ポータブルモニタ４５Ｄにはアンテナ４５Ａおよびセンサ４５Ｓを備えており、センサ４５Ｓは座席４３Ｍの肘掛部４３Ｊに配設されたセンサ４３Ｓと情報を授受することによりセンシングを行う。ポータブルモニタ４５Ｄは座席４３Ｍに割り当てられた座席の位置情報をセンサ４５Ｓ、４３Ｓを経由して取得することにより、座席４３Ｍとポータブルモニタ４５Ｄは新たなペアリングを構築することができる。ペアリングを行ったポータブルモニタ４５Ｄは、座席４２Ｍの背面に設けられた保持機能（図示せず）に装着する。これにより、オーディオフィードバックを用いて、利用者４５Ｑは座席４３Ｍでイヤホン４３Ｅを使用して音声を聞くことができる。
【００３７】
座席４３Ｍとポータブルモニタ４５Ｄとが授受する位置情報としては、一例として、接続するＡＰに関する情報、アンテナ指向性情報、ＳＳＩＤ、ＩＰアドレス、ＭＡＣアドレスなどを設定する。なお、ＡＰ情報、ＳＳＩＤ、ＩＰアドレス、ＭＡＣアドレスは、座席毎に固有の情報を割り当てる。
【００３８】
つぎに、図５および図６により、ＡＰのサービスエリアおよびポータブルモニタＤのアンテナの指向性の設定について説明する。図５および図６は、本実施の形態の無線通信システム１００におけるＡＰとポータブルモニタ４５Ｄとの関係を示す平面図である。
【００３９】
図５に示すように、情報提供サービスの利用者が座席４５Ｍから座席４３Ｍへポータブルモニタ４５Ｄを持って移動した場合には、接続するＡＰがＡＰ１３からＡＰ１２に変更される。
【００４０】
図６は、ポータブルモニタＤに設けられたアンテナの指向性情報に関し、例えば、ＡＰ１４について説明する。本発明の実施の形態１における無線通信システムでは、ＡＰ１４のサービスエリア２を前、横、後と左方、中央、右方の９個の小エリアＡ１からＡ９に分割する。航空機では座席は固定されており、座席に着席する利用者の移動範囲は限定されている。したがって、各座席に小エリアＡ１からＡ９の中から割り当てられた情報を付与し、ポータブルモニタＤは座席から位置情報を受信するとアンテナの指向性を位置情報に対応した設定に切換える。アンテナの指向性は座席毎に決まっており、指向性を決定するための演算処理を必要としない。
【００４１】
つぎに、ポータブルモニタ４５Ｄの詳細な回路構成について、図７により説明する。
【００４２】
図７は本実施の形態の無線通信システム１００におけるポータブルモニタＤの回路構成を示すブロック図である。図７に示すように、ポータブルモニタ４５Ｄは、センサ部７００、タッチパネル部７１０、処理部７３０、ワイヤレスモジュール部７４０、アンテナ部７５０、メモリ部７６０、外部入出力部７７０から構成される。
【００４３】
アンテナ部７５０は指向性切換部７５１を備える。指向性切換部７５１は位置情報を基にアンテナ４５Ａの指向性を定めたテーブルを呼出し、アンテナ４５Ａの指向性を変更する。メモリ部７６０は位置情報格納部７６１を備えている。位置情報格納部７６１は初期位置のポータブルモニタ４５Ｄの位置情報を格納している。
【００４４】
センサ部７００は送受信部７０１を備える。送受信部７０１は座席４３Ｍのセンサ４３Ｓ（例えばＲＦＩＤなど）から送られる情報を受信する。
【００４５】
タッチパネル部７１０は、チャネル変更部７１１、ＣＡコール部７１２、照明部７１３から構成される。チャネル変更部７１１はＡＶ情報の切換えを行う。ＣＡコール部７１２はタッチパネル部７１０でＣＡコールボタンを押された状態である。照明部７１３はタッチパネル部で照明点灯ボタンを押された状態である。
【００４６】
処理部７３０は、位置情報受信部７３１、位置情報比較部７３２、ＡＶ情報受信部７３３、ＡＶ分離部７３４、映像表示部７３５、オーディオ入出力部７３６、データ送受信部７３７、チャネル切換部７３８、ＡＶ情報要求部７３９から構成される。
【００４７】
位置情報受信部７３１はセンサ部７００が受信した位置情報を受信する。位置情報比較部７３２は、メモリ部７６０の位置情報格納部７６１に格納されたモニタが事前に保有している位置情報とセンサ部７００で座席４３Ｍから受け取った新しい位置情報の比較をする。ＡＶ情報受信部７３３はＡＰ１２からＡＶ情報を受信する。ＡＶ分離部７３４はＡＶ情報受信部７３３で受け取ったＡＶ情報を映像情報と音声情報に分離する。映像表示部７３５はＡＶ分離部７３４で分離された映像情報をディスプレイパネル４５Ｐに表示する。オーディオ入出力部７３６は座席４３Ｍと有線で繋がっており、オーディオ情報の入出力を行う。データ送受信部７３７は、ＡＰ１２からの情報提供サービスのコンテンツデータを受信し、座席４３ＭからのＣＡコールデータ、照明データ、チャネル変更データをＡＰ１２に送信する。
【００４８】
チャネル切換部７３８はタッチパネル部７１０から受け取ったチャネル変更要求の処理を行う。ＡＶ情報要求部７３９はＡＰ１２にチャネル変更を要求する。
【００４９】
ワイヤレスモジュール部７４０は変復調部７４１および送受信部７４２から構成される。変復調部７４１は処理部７３０から受信したＡＶ情報変更要求を変調し、ＡＶ情報を復調する。送受信部７４２は処理部７３０から受信した情報をＡＰ１２に送信し、ＡＰ１２からのＡＶ情報を受信する。外部入出力部７７０は有線を用いて座席４３Ｍに音声データを転送する。
【００５０】
つぎに、ポータブルモニタ４５Ｄにおける位置情報、ＡＶ情報、チャネル変更要求情報、ＣＡコール情報および照明操作情報の流れについて説明する。
【００５１】
位置情報は、座席４３Ｍから送信され、ポータブルモニタ４５Ｄに備えたセンサ部７００の送受信部７０１で受信される。つぎに、処理部７３０の位置情報受信部７３１で受信し、位置情報受信部７３１から位置情報比較部７３２に送られメモリ部７６０の位置情報格納部７６１のポータブルモニタ４５Ｄが保持しているこれまでの位置情報と比較される。ここで受信した位置情報と違えば受信した座席４３Ｍからの位置情報を新しい情報として格納する。この新しい位置情報を使用して接続するＡＰ１２とアンテナ４５Ａの指向性を決定し、その情報をワイヤレスモジュール部７４０に送り、変復調部７４１で変調を行う。その後、送受信部７４２にデータを送り、アンテナ４５Ａの指向性を変更するとともに、ＡＰ１２に接続リクエストを送信する。
【００５２】
ＡＶ情報は、ポータブルモニタ４５ＤからＡＰ１２に接続リクエストを送ることにより、ＡＰ１２を介してサーバーから送られる。このＡＶ情報をポータブルモニタ４５Ｄのアンテナ部７５０で受信してワイヤレスモジュール部７４０の送受信部７４２に送られる。その後、変復調部７４１で復調され処理部７３０に送られる。処理部７３０ではＡＶ情報受信部７３３で受信しＡＶ分離部７３４で映像データと音声データを分離して映像データは映像表示部７３５のディスプレイパネル４５Ｐで表示を行い、音声情報はオーディオ入出力部７３６で制御用イーサネット（登録商標）を介して外部入出力部７７０を介して座席４３Ｍに送られる。
【００５３】
チャネル変更要求情報は、処理部７３０のチャネル切換部７３８へ送られ、ＡＶ情報要求部７３９を介して、ワイヤレスモジュール部７４０の変復調部７４１で変調されＡＰ１２に送られる。ＡＰ１２で受け取ったデータはイーサネット（登録商標）でサーバーに送られ、変更後のデータをＡＶ情報の伝達方法と同様の操作により、チャネル変更を可能とする。
【００５４】
つぎに、ＣＡコール情報、照明操作情報は、処理部７３０のデータ送受信部７３７を介して、ＡＰ１２に送り、その後サーバーに送られ処理が行われる。なお、図４（ｃ）はポータブルモニタ４５Ｄの外観を示すが、アンテナ４５Ａ、センサ４５Ｓ、ディスプレイパネル４５Ｐの配置はこれに限定されない。
【００５５】
つぎに、図８により、座席４３Ｍに備える回路部の構成について説明する。図８は本実施の形態の無線通信システム１００における座席４３Ｍに備えた回路部の構成を示すブロック図である。
【００５６】
座席４３Ｍは、メモリ部８００、処理部８１０、センサ部８２０、ハンドセット部８３０、外部入出力部８４０から構成される。
【００５７】
メモリ部８００は位置情報格納部８０１を備え、位置情報格納部８０１は各座席に対応した位置情報を格納している。
【００５８】
ハンドセット部８３０はＣＡコール部８３１、照明部８３２、チャネル変更部８３３から構成される。ＣＡコール部８３１はハンドセット部８３０のＣＡコールのボタンが押されたときに処理部８１０に情報を送る。照明部８３２はハンドセット部８３０の照明のボタンが押されたときに処理部８１０に情報を送る。チャネル変更部８３３は処理部８１０を介してサーバーにチャネル変更要求を送る。
【００５９】
処理部８１０は位置情報呼出部８１１、データ出力部８１２、オーディオ入出力部８１３、音声出力部８１４から構成される。位置情報呼出部８１１は位置情報格納部８０１から位置情報を呼び出し、センサ部８２０に送る。データ出力部８１２はハンドセット部８３０からのＣＡコール情報、照明情報、チャネル変更情報を受け取り制御用イーサネット（登録商標）に出力する。オーディオ入出力部８１３はポータブルモニタ４５Ｄから制御用イーサネット（登録商標）を介してオーディオ情報を入出力する。音声出力部８１４はイヤホン４５Ｅを通じて音声を出力する。センサ部８２０は送受信部８２１を備えている。送受信部８２１は処理部８１０から受け取った位置情報をポータブルモニタ４５Ｄに送信する。
【００６０】
つぎに、座席４３Ｍにおける位置情報の流れについて述べる。センシングされると、ポータブルモニタ４５Ｄからデータの要求がされセンサ部８２０の受信機で受信される。その後、処理部８１０の位置情報呼出部８１１がメモリ部８００の位置情報格納部８０１にアクセスし位置情報が呼び出される。この位置情報はセンサ部８２０の送受信部８２１からポータブルモニタ４５Ｄに送信される。
【００６１】
また、ハンドセット部８３０における情報の流れについては、ハンドセット部８３０で操作されたチャネル変更情報、ＣＡコール情報、チャネル変更情報が処理部８１０から制御用イーサネット（登録商標）を介してサーバーに送られる。モニタから有線で送られてくる音声情報は外部入出力部８４０を介して、処理部８１０のオーディオ入出力部８１３に渡され音声出力部８１４で出力される。
【００６２】
（実施の形態２）
つぎに、本発明の実施の形態２における無線通信システム１００を図９から図１１により説明する。
【００６３】
図９は本実施の形態における無線通信システム１００の構成を説明するための図である。図９（ａ）は、移動先でのポータブルモニタ４５Ｄと座席４３Ｍとのペアリングの方法と航空機内の情報提供サービスの視聴方法を示す。本実施の形態では、ポータブルモニタ４５Ｄのアンテナ４５Ａに加えて、座席４３Ｍにもアンテナ４３Ａを配設する。ＡＰ１２から発信される情報をポータブルモニタ４５Ｄに向けた映像情報と、座席４３Ｍに向けた音声情報とに分ける。そして、音声を受け渡すためにポータブルモニタ４５Ｄと座席４３Ｍを有線で接続する必要がなくなる。したがって、オーディオフィードバックの必要がなく、さらにポータブルモニタ４５Ｄを座席４２Ｍの背面に装着しなくても、情報提供サービスを利用することができる。
【００６４】
図１０は本実施の形態の無線通信システム１００におけるポータブルモニタ４５Ｄの回路構成を示すブロック図である。ポータブルモニタ４５Ｄは音声情報を受信しないため、図７と比較すると、ＡＶ情報受信部７３３、ＡＶ分離部７３４、オーディオ入出力部７３６がなく、処理部７３０におけるＡＶ情報受信部７３３に代わり、映像受信部７３３Ａが付加される。映像受信部７３３ＡはサーバーからＡＰ１２を介してポータブルモニタ４５Ｄに送信され、ワイヤレスモジュール部７４０で復調された映像情報を、受信する機能を持つ。それ以外のブロックは実施の形態１と同じであるので、図７と同じ符号を付し、説明を省略する。
【００６５】
図１１は、本実施の形態の無線通信システム１００における座席４３Ｍに備えた回路部の構成を示すブロック図である。図８との違いは、オーディオ入出力部８１３を取り除く代わりに音声情報を受信するためのアンテナ部８５０、処理部８１０に音声受信部８１５が付加される。アンテナ部８５０はＡＰ１２の情報を受信する。音声受信部８１５は音声情報をアンテナ部８５０から受信する。
【００６６】
本実施の形態における音声情報の流れについて以下に述べる。音声情報はＡＰ１２を介してサーバーから送られ、アンテナ部８５０、処理部８１０の音声受信部８１５で受信される。受信された音声情報は音声出力部８１４で出力される。
【００６７】
つぎに、図９（ｂ）により、ポータブルモニタ４５Ｄに音声出力部４５Ｔを配設する実施の形態２のほかの例を示す。この例では、イヤホン４５Ｅをポータブルモニタ４５Ｄの音声出力部４５Ｔに差し込むことにより、音声情報をポータブルモニタ４５Ｄを介してワイヤレスで受信することができる。
【００６８】
（実施の形態３）
つぎに、利用者の利用環境に合わせて、モード１、モード２、モード３の３種類の視聴モードを切換可能に構成する実施の形態３の無線通信システムについて、図１２から図１４により説明する。モード１は音声受信に関し、図１（ｂ）に示す経路で音声を受信するモードであり、オーディオフィードバック方式により有線で音声を受信する。モード２は、図９（ａ）に示す経路で音声を受信するモードであり、ＡＰ１２から発信された電波を座席に設けられたアンテナ４３Ａで受信する。モード３は図９（ｂ）に示すようにポータブルモニタ４５Ｄに音声出力部４５Ｔを配設し、イヤホン４５Ｅをポータブルモニタ４５Ｄの音声出力部４５Ｔに差し込むことにより、音声をポータブルモニタ４５Ｄ経由でワイヤレスで受信するモードである。
【００６９】
図１２により、本実施の形態の無線通信システムにおける視聴パターンの切換方法について説明する。図１２は、本実施の形態における無線通信システムの動作を示すフローチャートであり、モード１、モード２、モード３の３種類のモードを切換える方法を示す。まずステップＳ１でセンシングの更新が行われたか判別する。更新されていなければ（Ｎｏの場合）、ステップＳ２に移行し視聴方法の変更はしない。更新がされている場合（Ｙｅｓの場合）は、座席４３Ｍの音声出力部４５Ｔにイヤホン４５Ｅが挿入されているかを確認する（ステップＳ３）。また、座席４３Ｍにイヤホン４５Ｅが挿入されていない場合（Ｎｏの場合）は、ポータブルモニタ４５Ｄにイヤホン４５Ｅが装着されているかを確認する（ステップＳ４）。ポータブルモニタ４５Ｄにイヤホン４５Ｅが装着されていない場合（Ｎｏの場合）は、視聴方法の変更は行わない（ステップＳ５）。ポータブルモニタ４５Ｄにイヤホン４５Ｅが装着されている場合（Ｙｅｓの場合）は、モード２に視聴方法を切換える（ステップＳ６）。座席４３Ｍにイヤホン４５Ｅが装着されている場合（Ｙｅｓの場合）は、ポータブルモニタ４５Ｄが座席４３Ｍのモニタ収納部にはめ込まれているかを確認する（ステップＳ７）。収納されていない場合（Ｎｏの場合）は、モード３の視聴方法に切換え（ステップＳ８）、収納されていれば（Ｙｅｓの場合）、ステップＳ９に移行してモード１の視聴方法に切換える（ステップＳ９）。
【００７０】
図１３は、本実施の形態の無線通信システムにおけるポータブルモニタ４５Ｄの回路部の構成を示すブロック図である。図１３は、図７と図１０の構成を組み合わせて、ポータブルモニタ４５Ｄに直接イヤホン４５Ｅを挿入した場合に音声情報を出力する音声出力部７８１と、ポータブルモニタ４５Ｄの使用状況を検出するためのはめ込み検知部７０２および差込検知部７８２を追加している。それ以外のブロックは実施の形態１、２と同じであるので、図７、図１０と同じ符号を付し、説明を省略する。
【００７１】
はめ込み検知部７０２は、ポータブルモニタ４５Ｄが座席４３Ｍにはめ込まれているかどうかを検知することができる。音声出力部７８１は、ポータブルモニタ４５Ｄに直接イヤホン４５Ｅを接続する接続口であり、差込検知部７８２はポータブルモニタ４５Ｄにイヤホン４５Ｅが装着されているのを感知する機能を持つ。検知機能はモード１、２、３を決定するのに用いられる。はめ込み検知部７０２で検知されたならばモード１を選択し、はめ込み検知部７０２で検知された場合はモード２を選択する。
【００７２】
図１４は、本実施の形態の無線通信システムにおける座席４３Ｍに備えた回路部の構成を示すブロック図である。図１４は、図８と図１１の構成を組み合わせて、音声出力部８１４に差込検知部８１６を加えたものである。差込検知部８１６は座席４３Ｍにイヤホン４５Ｅが接続されているかどうかを感知する機能を有する。差込検知部８１６にイヤホン４５Ｅが検知された場合は、ポータブルモニタ４５Ｄのはめ込み検知部７０２ではめ込みが検知されているかを確認する。はめ込みが検知された場合はモードを選択し、確認されなければモード３を選択する。それ以外のブロックは実施の形態１と同じであるので、図８と同じ符号を付し、説明を省略する。
【００７３】
以上の通り、本発明の実施の形態におけるポータブルモニタＤおよび無線通信システム１００を用いれば情報提供サービスの利用者がワイヤレスのポータブルモニタＤを持って航空機客室内の何処に移動しても提供情報を利用できるだけでなく、配信された情報の品質を劣化させることなく受信することができる。
【００７４】
なお、座席に配設されるセンサ４５Ｓ、ハンドセット４５Ｈ、イヤホン４５Ｅの配置は、図２に限定されるものではない。
【産業上の利用可能性】
【００７５】
本発明は、ＡＰのカバーエリアを越えて端末機器を移動することを可能とするだけでなく干渉や妨害を抑制することができるため、例えば航空機のような輸送機関内に設置する情報配信サービスを行う無線通信システムなどに利用することができる。
【図面の簡単な説明】
【００７６】
【図１】本発明の実施の形態１におけるポータブルモニタおよび無線通信システムの構成を示す主要配置図
【図２】（ａ）は同無線通信システムにおける座席の主要な構成を示す平面図、（ｂ）は同側面図
【図３】同無線通信システムの使用時の状態を示す説明図
【図４】同無線通信システムの機能を説明するための図
【図５】同無線通信システムにおけるＡＰとポータブルモニタとの関係を示す平面図
【図６】同無線通信システムにおけるＡＰとポータブルモニタとの関係を示す平面図
【図７】同無線通信システムにおけるポータブルモニタの回路構成を示すブロック図
【図８】同無線通信システムにおける座席に備えた回路部の構成を示すブロック図
【図９】本発明の実施の形態２における無線通信システムの構成を説明するための図
【図１０】同無線通信システムにおけるポータブルモニタの回路構成を示すブロック図
【図１１】同無線通信システムにおける座席に備えた回路部の構成を示すブロック図
【図１２】本発明の実施の形態３における無線通信システムの動作を示すフローチャート
【図１３】同無線通信システムにおけるポータブルモニタの回路部の構成を示すブロック図
【図１４】同無線通信システムにおける座席に備えた回路部の構成を示すブロック図
【符号の説明】
【００７７】
１１，１２，１３，１４    ＡＰ
４１，４２，４３，４４，４５，４６，４７，４８    座席列
４１Ｄ，４２Ｄ，４３Ｄ，４５Ｄ，４６Ｄ    ポータブルモニタ
４２Ｅ，４３Ｅ，４５Ｅ    イヤホン
４２Ｍ，４３Ｍ，４４Ｍ，４５Ｍ    座席
４３Ａ，４５Ａ    アンテナ
４３Ｊ，４５Ｊ    肘掛部
４３Ｓ，４５Ｓ    センサ  
４５Ｈ    ハンドセット
４５Ｌ    オーディオ出力部
４５Ｐ    ディスプレイパネル
４５Ｑ    利用者
４５Ｔ，８１４    音声出力部
１００    無線通信システム
７００，８２０    センサ部
７０１，７４２，８２１    送受信部
７０２    はめ込み検知部
７１０    タッチパネル部
７１１，８３３    チャネル変更部
７１２，８３１    ＣＡコール部
７１３，８３２    照明部
７３０，８１０    処理部
７３１    位置情報受信部
７３２    位置情報比較部
７３３    ＡＶ情報受信部
７３３Ａ    映像受信部
７３４    ＡＶ分離部
７３５    映像表示部
７３６，８１３    オーディオ入出力部
７３７    データ送受信部
７３８    チャネル切換部
７３９    ＡＶ情報要求部
７４０    ワイヤレスモジュール部
７４１    変復調部
７５０，８５０    アンテナ部
７５１    指向性切換部
７６０，８００    メモリ部
７６１，８０１    位置情報格納部
７７０，８４０    外部入出力部
７８０    イヤホン部
７８１    音声出力部
７８２，８１６    差込検知部
８１１    位置情報呼出部
８１２    データ出力部
８１５    音声受信部
８３０    ハンドセット部
８５１    受信部
【図１】
2009021653.tif 000003
【図２】
2009021653.tif 000004
【図３】
2009021653.tif 000005
【図４】
2009021653.tif 000006
【図５】
2009021653.tif 000007
【図６】
2009021653.tif 000008
【図７】
2009021653.tif 000009
【図８】
2009021653.tif 000010
【図９】
2009021653.tif 000011
【図１０】
2009021653.tif 000012
【図１１】
2009021653.tif 000013
【図１２】
2009021653.tif 000014
【図１３】
2009021653.tif 000015
【図１４】
2009021653.tif 000016